(57)【要約】【課題】を液体噴射ヘッドのメンテナンスや交換を容易にすることができる液体噴射ヘッドおよび液体噴射ヘッドを有する液体噴射装置提供すること。【解決手段】液体をノズル面３１１Ｐから噴射する液体噴射ヘッド３０であって、本体部と本体部から突出して設けられている突出部２００とを有するケース３０１と、ケースの突出部２００に配置されて液体を噴射するためのヘッドユニット３１０と、ヘッドユニット３１０をケースの突出部２００に対して配置した状態でヘッドユニットのノズル面の周縁部３７０を保持するカバー部材４００とを備え、カバー部材４００は、ケースの突出部２００に対して固定する際に、カバー部材４００を取り付け方向と取り外し方向の両方に沿ってケースの突出部２００に着脱自在にかみ合わせ可能なかみ合わせ形状部分４３０を有する。【選択図】図７
2006224362.tif 000002
【特許請求の範囲】
【請求項１】
液体をノズル面から噴射する液体噴射ヘッドであって、
本体部と前記本体部から突出して設けられている突出部とを有するケースと、
前記ケースの前記突出部に配置されて前記液体を噴射するためのヘッドユニットと、
前記ヘッドユニットを前記ケースの前記突出部に対して配置した状態で前記ヘッドユニットの前記ノズル面の周縁部を保持するカバー部材と、を備え、
前記カバー部材は、前記ケースの前記突出部に対して固定する際に、前記カバー部材を取り付け方向と取り外し方向の両方に沿って前記ケースの前記突出部に着脱自在にかみ合わせ可能なかみ合わせ形状部分を有することを特徴とする液体噴射ヘッド。
【請求項２】
前記カバー部材のかみ合わせ形状部分は、前記カバー部材の内面側に突出した形状であり、前記ケースの前記突出部の側面部には、前記かみ合わせ形状部分をかみ合わせる凹部が形成されていることを特徴とする請求項１に記載の液体噴射ヘッド。
【請求項３】
前記カバー部材のかみ合わせ形状部分は孔であり、前記ケースの前記突出部の側面部には、前記かみ合わせ形状部分にかみ合わせられる凸部が形成されていることを特徴とする請求項２に記載の液体噴射ヘッド。
【請求項４】
前記カバー部材は、前記ノズル面の周縁部を支える支持面部と、前記かみ合わせ形状部分を有していて前記支持面部から起立して形成されている第１起立側部と、前記かみ合わせ形状部分を有していて前記第１起立側部と対向しており前記支持面部から起立して形成されている第２起立側部と、を有しており、前記支持面部の内面は、前記ノズル面の前記周縁部に密着されていることを特徴とする請求項１ないし請求項３のいずれかに記載の液体噴射ヘッド。
【請求項５】
液体をノズル面から噴射する液体噴射ヘッドを有する液体噴射装置であって、
前記液体噴射ヘッドは、
本体部と前記本体部から突出して設けられている突出部とを有するケースと、
前記ケースの前記突出部に配置されて前記液体を噴射するためのヘッドユニットと、
前記ヘッドユニットを前記ケースの前記突出部に対して配置した状態で前記ヘッドユニットの前記ノズル面の周縁部を保持するカバー部材と、を備え、
前記カバー部材は、前記ケースの前記突出部に対して固定する際に、前記カバー部材を取り付け方向と取り外し方向の両方に沿って前記ケースの前記突出部に着脱自在にかみ合わせ可能なかみ合わせ形状部分を有することを特徴とする液体噴射装置。
【発明の詳細な説明】
【技術分野】
【０００１】
本発明は、液体を噴射する液体噴射ヘッドおよび液体噴射ヘッドを有する液体噴射装置に関する。
【背景技術】
【０００２】
ターゲットに対して液体を噴射させる液体噴射装置として、記録ヘッドから記録媒体に対してインク滴を噴射させて印刷を行うインクジェット式記録装置が知られている。
そして、このようなインクジェット式記録装置は、インクカートリッジからインクの供給を受けるインクジェット式記録ヘッドと、記録用紙を記録ヘッドに対して相対的に移動させる紙送り手段を備え、インクジェット式記録ヘッドをキャリッジ上で記録用紙の幅方向に移動させながら記録ヘッドのノズルから記録媒体に対してインク滴を吐出させることによって、所望の文字や図形等の画像を記録する。
【０００３】
この種の記録ヘッドは、ノズル面の周縁部を覆うためのノズルカバーを有している。このノズルカバーはノズル面の周縁部を保持していて、ノズルカバーは開口部を有し、ノズル面のノズル開口が露出している。このノズルカバーをケース側に対して固定するために、ノズルカバーは係合爪部を有している。この係合爪部は、ヘッドケースのスペーサ部材の凹部に対して係合することで、ノズルカバーがスペーサ部材に対して固定できる構造が提案されている（たとえば特許文献１）。
【０００４】
【特許文献１】特開２００１−１０５５７４号公報（第３頁、図１、図３）
【発明の開示】
【発明が解決しようとする課題】
【０００５】
ところが、特許文献１に開示されている係合爪部は、ノズルカバー４をスペーサ部材の凹部に対してはめ込む場合にははめ込みやすいが、ヘッドケース側の構成要素を交換する場合には、ノズルカバーはスペーサ部材から取り外すのが困難である。その理由としては、ノズルカバーの係合爪部が、ノズルカバーの取り付け方向には取り付けやすいように、係合爪部がノズルカバーの取り付け方向とは反対方向に突出した爪構造を有しているからである。
したがって、記録ヘッドのメンテナンスを行ったり記録ヘッドのヘッドユニットの交換を行う場合には、ノズルカバーが取り外せないという問題があり、仮に取り外そうとしてもノズルカバーが変形してしまいそのメンテナンスあるいは交換作業時間が多く掛かってしまう。
【０００６】
そこで本発明は上記課題を解消し、液体噴射ヘッドのメンテナンスや交換を容易にすることができる液体噴射ヘッドおよび液体噴射ヘッドを有する液体噴射装置を提供することを目的としている。
【課題を解決するための手段】
【０００７】
上記目的は、本発明にあっては、液体をノズル面から噴射する液体噴射ヘッドであって、本体部と前記本体部から突出して設けられている突出部とを有するケースと、前記ケースの前記突出部に配置されて前記液体を噴射するためのヘッドユニットと、前記ヘッドユニットを前記ケースの前記突出部に対して配置した状態で前記ヘッドユニットの前記ノズル面の周縁部を保持するカバー部材と、を備え、前記カバー部材は、前記ケースの前記突出部に対して固定する際に、前記カバー部材を取り付け方向と取り外し方向の両方に沿って前記ケースの前記突出部に着脱自在にかみ合わせ可能なかみ合わせ形状部分を有することを特徴とする液体噴射ヘッドにより、達成される。
本発明の構成によれば、ケースは、本体部と本体部から突出して設けられている突出部とを有する。ヘッドユニットは、ケースの突出部に配置されて液体を噴射する。
カバー部材は、ヘッドユニットをケースの突出部に対して配置した状態で、ヘッドユニットのノズル面の周縁部を保持する。
このカバー部材は、ケースの突出部に対して固定する際に、カバー部材を取り付け方向と取り外し方向の両方に沿ってケースの突出部に着脱自在にかみ合わせ可能なかみ合わせ形状部分を有している。
これにより、カバー部材は、ケースの突出部に対して固定する際に、カバー部材は取り付け方向と取り外し方向の両方に沿って突出部に対して着脱自在にかみ合わせることができる。カバー部材を用いてノズル面の周縁部を保持するために、カバー部材を突出部に取り付ける場合は勿論のこと、メンテナンスやヘッドユニットの一部もしくは全部を交換する際にカバー部材を取り外す場合に、カバー部材の取り外し作業を簡単に行うことができる。
これによって、液体噴射ヘッドのメンテナンスあるいはヘッドユニットの一部もしくは全部の交換をする際の作業性を向上することができる。
【０００８】
本発明は、前記カバー部材のかみ合わせ形状部分は、前記カバー部材の内面側に突出した形状であり、前記ケースの前記突出部の側面部には、前記かみ合わせ形状部分をかみ合わせる凹部が形成されていることが好ましい。
本発明の構成によれば、カバー部材のかみ合わせ形状部分は、カバー部材の内面側に突出した形状である。ケースの突出部の側面部には、かみ合わせ形状部分をかみ合わせる凹部が形成されている。
これにより、かみ合わせ形状部分は、突出部の側面部の凹部に対して取り付け方向と取り外し方向の両方に沿って着脱可能にかみ合わせることができる。
【０００９】
本発明は、前記カバー部材のかみ合わせ形状部分は孔であり、前記ケースの前記突出部の側面部には、前記かみ合わせ形状部分にかみ合わせられる凸部が形成されていることが好ましい。
本発明の構成によれば、カバー部材のかみ合わせ形状部分は孔であり、ケースの突出部の側面部には、かみ合わせ形状部分にかみ合わせられる凸部が形成されている。
これにより、かみ合わせ形状部分は突出部の側面部の凸部に対して取り付け方向と取り外し方向の両方に沿って着脱可能にかみ合わせることができる。
【００１０】
本発明は、前記カバー部材は、前記ノズル面の周縁部を支える支持面部と、前記かみ合わせ形状部分を有していて前記支持面部から起立して形成されている第１起立側部と、前記かみ合わせ形状部分を有していて前記第１起立側部と対向しており前記支持面部から起立して形成されている第２起立側部と、を有しており、前記支持面部の内面は、前記ノズル面の前記周縁部に密着されていることが好ましい。
本発明の構成によれば、カバー部材は、支持面部と第１起立側部および第２起立側部を有している。支持面部はノズル面の周縁部を支える部分である。第１起立側部は、かみ合わせ形状部分を有していて、支持面部から起立して形成されている。同様にして第２起立側部は、かみ合わせ形状部分を有していて第１起立側部と対向しており支持面部から起立して形成されている。支持面部の内面は、ノズル面の周縁部に密着されている。
これにより、第１起立側部のかみ合わせ形状部分と第２起立側部のかみ合わせ形状部分は、突出部を挟むようにして取り付けることができ、しかも突出部に対して着脱可能に取り付けたり取り外すことができる。
【００１１】
上記目的は、本発明にあっては、液体をノズル面から噴射する液体噴射ヘッドを有する液体噴射装置であって、前記液体噴射ヘッドは、本体部と前記本体部から突出して設けられている突出部とを有するケースと、前記ケースの前記突出部に配置されて前記液体を噴射するためのヘッドユニットと、前記ヘッドユニットを前記ケースの前記突出部に対して配置した状態で前記ヘッドユニットの前記ノズル面の周縁部を保持するカバー部材と、を備え、前記カバー部材は、前記ケースの前記突出部に対して固定する際に、前記カバー部材を取り付け方向と取り外し方向の両方に沿って前記ケースの前記突出部に着脱自在にかみ合わせ可能なかみ合わせ形状部分を有することを特徴とする液体噴射装置により、達成される。
これにより、カバー部材は、ケースの突出部に対して固定する際に、カバー部材は取り付け方向と取り外し方向の両方に沿って突出部に対して着脱自在にかみ合わせることができる。カバー部材を用いてノズル面の周縁部を保持するために、カバー部材を突出部に取り付ける場合は勿論のこと、メンテナンスやヘッドユニットの一部もしくは全部を交換する際にカバー部材を取り外す場合にカバー部材の取り外し作業を、簡単に行うことができる。
これによって、液体噴射ヘッドのメンテナンスあるいはヘッドユニットの一部もしくは全部の交換をする際の作業性を向上することができる。
【発明を実施するための最良の形態】
【００１２】
以下、本発明の好適な実施の形態を図面を参照して説明する。
図１は、本発明の液体噴射装置の好ましい実施形態であるインクジェット式記録装置１０を示している。
図１に示すインクジェット式記録装置１０は、インクジェットプリンタとも呼んでいる。インクジェット式記録装置１０は、本体部１を有している。この本体部１は、ガイドレール１７、プラテン１２、キャリッジ１４、インク吸引装置２０、記録ヘッド３０を備えている。記録ヘッド３０は、液体の噴射ヘッドの一例であり、印刷ヘッドとも言う。
【００１３】
図１に示すインクジェット式記録装置１０は、いわゆるオンキャリッジ型の記録装置であり、キャリッジ１４の上部には、複数のインクカートリッジ２，３，４，５が着脱可能に装着できる。キャリッジ１４の下部には、記録ヘッド３０が設けられている。キャリッジ１４は、ベルト１５を介してモータ１６に接続されている。モータ１６が作動することによって、キャリッジ１４はガイドレール１７に沿ってプラテン１２の軸方向である主走査方向Ｔに往復走行する。
【００１４】
ホームポジション１８は、ガイドレール１７の一方の端部に位置している。このホームポジション１８は、キャリッジの走行経路の末端にある非印刷領域である。このホームポジション１８には、本体部１の上にインク吸引装置２０が配置されている。このインク吸引装置２０は、液体吸引装置の一例でありキャッピングシステムもしくはキャッピング手段とも呼んでいる。図１のキャリッジ１４の記録ヘッド３０は、Ｔ１方向に沿ってホームポジション１８に移動することで、インク吸引装置２０のキャップ本体２１に対面する。
【００１５】
インク吸引装置２０は、記録ヘッド３０のノズル開口のインクの乾燥を防止する機能と、吸引ポンプ１９からの負圧をノズル開口に作用させてノズル開口からインクを強制的に吸引して排出させる機能を備える。この吸引ポンプ１９は、インク吸引装置２０を構成する一構成要素である。インク吸引装置２０は、液体吸引装置の一例である。インクは液体の一例である。
この他に、インク吸引装置２０の横には、ワイピング部材４００が設けられている。このワイピング部材４００は、必要に応じて記録ヘッド３０のノズルプレート面のインクを払拭する。
【００１６】
図２は、図１に示すインクジェット式記録装置１０の電気的な接続例を示している。インクジェット式記録装置１０の制御装置７は、ローカルプリンタケーブルまたは通信ネットワークを介してホストコンピュータ４０のプリンタドライバ４１に接続されている。プリンタドライバ４１は、インクジェット式記録装置１０に対して印刷やクリーニング動作あるいはインク吸引動作を実行させるためのコマンドを送るソフトウェアを搭載している。
図２に示すインクジェット式記録装置１０は、制御装置７の他に、センサー８、インク吸引装置２０、インクカートリッジ２，３，４，５、記録ヘッド３０、キャリッジ１４、用紙搬送機構１５Ａを含んでいる。
【００１７】
図１の実施形態では、複数のインクカートリッジ２，３，４，５が、キャリッジ１４の上に直接搭載されているが、これに限らずインクカートリッジ２，３，４，５がキャリッジとは別の位置に搭載されている、いわゆるオフキャリッジ型のインクジェット式記録装置を採用しても勿論構わない。
図２の用紙搬送機構１５Ａは、図１の用紙２９をプラテン１２上を搬送するようになっている。用紙２９は記録媒体の一種である。
【００１８】
図３は、図１に示す記録ヘッド３０の構造例を示す分解斜視図である。
図３に示す記録ヘッド３０は、概略的にはケース３０１と、ヘッドユニット３１０を有している。
ケース３０１は、この図示例では上ケース３５０と下ケース３４０を有している。
ヘッドユニット３１０は、ヘッドチップあるいはヘッドチップユニットとも呼ぶことができ、ヘッドユニット３１０は、次のような積層構造を有している。ヘッドユニット３１０は、ノズルプレート３１１、リザーバプレート３１３、供給プレート３１４、アクチュエータ３１５を有している。
【００１９】
ノズルプレート３１１は、インクを吐出するためのノズル開口であるたとえばノズル３１１ａを多数有している。ノズルプレート３１１の上には、フィルム接着材３１２が配置されている。このフィルム接着材３１２は、リザーバプレート３１３とノズルプレート３１１を接着している。
リザーバプレート３１３は、ノズルプレート３１１側にインクを供給するためのものであり、リザーバプレート３１３は、供給プレート３１４に対して別のフィルム接着材３１２を介して接着されている。
【００２０】
供給プレート３１４は、リザーバプレート３１３側にインクを供給する。供給プレート３１４の上には、アクチュエータ３１５がフィルム接着材３１３Ａにより接着されている。このアクチュエータ３１５は、外部より基板３３０とＴＣＰ３２０を介して駆動電圧が印加されると、撓み振動を発生する圧電振動子を多数有している。この圧電振動子は、ノズル３１１ａに対応してそれぞれ１つずつ配置されている。圧電振動子の撓み振動により、任意のノズル３１１ａからインクを噴射するようになっている。
【００２１】
図３のアクチュエータ３１５の上には、フレキシブル配線基板の一例であるたとえばＴＣＰ（テープ・キャリア・パッケージ）３２０が、たとえば接着により接続されている。このＴＣＰ３２０は、アクチュエータ３１５の各圧電振動子に対してそれぞれ駆動用の信号を供給するためのものである。ＴＣＰ３２０は可撓性材料などにより作られており屈曲自在である。
【００２２】
次に、図３に示す記録ヘッド３０のケース３０１について説明する。
ケース３０１の上ケース３５０は、下ケース３４０の上に配置されていて、上ケース３５０と下ケース３４０を組み合わせて接着してねじ３６０に止めることにより、ケース３０１が構成できる。
上ケース３５０と下ケース３４０の間には、基板３３０とフィルタ３４２が収容されている。上ケース３５０はたとえば４つの針部材３５１を有しており、各針部材３５１は、図１に示すインクカートリッジ２ないし５にそれぞれ着脱可能に差し込んで接続をする。各インクカートリッジ２ないし５内の各インクが、別々の針部材３５１を通じてそれぞれフィルタ３４２を介して下ケース３４０の流路開口３４１側に供給される。フィルタ３４２は、下ケース３４０に溶着されていて、インクを濾過することで不純物や気泡を除去する。流路開口３４１に導かれた各インクカートリッジ内のインクは、ヘッドユニット３１０の供給プレート３１４側に供給されることにより、各インクは、アクチュエータ３１５の作動により、任意のノズル３１１ａからインクを噴射することができる。
【００２３】
図３の基板３３０は、コネクタ３３１を有していて、基板３３０は、下ケース３４０の基板配置部３４３に収容して固定される。上ケース３５０と下ケース３４０は、複数本のねじ３６０により固定される。このように上ケース３５０と下ケース３４０は、基板３３０、フィルタ３４２を収容して保護するケースであり、図１のキャリッジ１４の下部に着脱可能に装着される。
【００２４】
図３に示すヘッドユニット３１０は、下ケース３４０の突出部２００の下面側に対して取り付けられる。カバーヘッド４００は、このヘッドユニット３１０を突出部２００に対して着脱可能に取り付けることができる。カバーヘッド４００は、カバー部材の一例であるが、ノズルプレート３１１の下面側からヘッドユニット３１０全体を下ケース３４０の突出部２００の下面側に対して着脱可能に取り付けることができる。
【００２５】
図４は、図３の記録ヘッド３０の組立体について、Ａ−Ａ線における断面構造例を示している。
図４においては、上ケース３５０、下ケース３４０、ヘッドユニット３１０およびカバーヘッド４００を示している。
突出部２００は、下ケース３４０の一部であり略直方体形状部分である。この突出部２００は、図４においてＺ１方向に、すなわち下方に向けて突出して形成されている部分である。この突出部２００内には、インク流路２０１を有している。各インク流路２０１は、各流路開口３４１に接続されていて、インク流路２０１の下端部分はノズル３１１ａに接続されている。
【００２６】
図４に示す上ケース３５０は、カートリッジガイド３５２を有している。このカートリッジガイド３５２は、Ｚ２方向に突出して枠形状に形成されており、図１に示すカートリッジ２ないし５がそれぞれ着脱可能に案内してはめ込むことができる部分である。
針部材３５１は、上ケース３５０と一体に形成されているが、針部材３５１はＺ２方向に突出している。針部材３５１の下端部分と流路開口３４１の上端部分の間には、フィルタ３４２が配置されている。
【００２７】
図４の基板３３０は、コネクタ３３１を搭載している。基板３３０の上には、位置決め用のボス３６９がＺ２方向に突出して設けられている。ＴＣＰ３２０は、図４と図３に示すようにアクチュエータ３１５と基板３３０を電気的に接続している。位置決め用ボス３６９は、ＴＣＰ３２０の接続端部３６５を位置決め用ボス３６９により位置決めする。
これによって、接続端部３６５は、基板３３０を介してコネクタ３３１に対して電気的に接続する。ＴＣＰ３２０は、ヘッドユニット３１０側から、突出部２００の内面２００ＴをＺ２方向に沿って立ち上げて、さらに基板３３０の上面側において位置決め用ボス３６９により位置決めして固定できる構造である。
【００２８】
図５は、図４に示す上ケース３５０の上にインクカートリッジ２ないし５が装着された状態の例を示している。
インクカートリッジ２は上ケース３５０のカートリッジガイド３５２によりガイドされた状態で装着されている。針部材３５１は、インクカートリッジ２ないし５内に挿入されることで、インクカートリッジ２ないし５内のインクがそれぞれ対応する針部材３５１を通じて記録ヘッド３０のノズル側にインクを供給する。
【００２９】
次に、図３に示すカバー部材としてのカバーヘッド４００について説明する。
カバーヘッド４００は、上述したようにカバー部材の一例であるが、カバーヘッド４００は、たとえば金属あるいはプラスチックにより形成されている。カバーヘッド４００は、図４と図５に示すように、下ケース３４０の突出部２００に対してヘッドユニット３１０を保持するための部材である。カバーヘッド４００は、ヘッドユニット３１０のメンテナンスあるいはヘッドユニット３１０の一部あるいは全部の構成要素を交換する場合に、突出部２００から取り外すことが容易な構造のものである。
【００３０】
カバーヘッド４００は、ヘッドユニット３１０を装着する際に突出部２００に対して取り付けが容易であるばかりでなく、カバーヘッド４００がヘッドユニット３１０のメンテナンス時あるいはヘッドユニット３１０の一部もしくは全部の構成要素を交換する場合に、取り外すことが容易であることが特徴である。
図６は、上ケース３５０と下ケース３４０の突出部２００およびカバーヘッド４００の構造を簡単化して示した斜視図である。図７は、カバーヘッド４００の形状例を具体的に示す斜視図である。
【００３１】
図７に示すカバーヘッド４００は、図６に示す突出部２００に対して固定する際にカバーヘッド４００を取り付け方向Ｚ２と取り外し方向Ｚ１の両方に沿って突出部２００の左右の側面部２０９，２０９に対して着脱自在にかみ合わせ可能なかみ合わせ形状部分４３０，４３０を有している。
一方のかみ合わせ形状部分４３０は、第１起立側部４４１の内面側に突出して形成されている。もう１つのかみ合わせ形状部分４３０は、第２起立側部４４２の内面側において突出して形成されている。
【００３２】
かみ合わせ形状部分４３０，４３０は、互いに向かい合う方向に沿ってしかも対応する位置において突出して形成されていて、Ｚ２方向の高さ位置は同じである。カバーヘッド４００は、支持面部４５０と第１起立側部４４１と第２起立側部４４２を有している。支持面部４５０は、図７と図８に示すように、開口部４５１を有している。支持面部４５０は、この開口部４５１を形成する四隅の４辺の部分であるが、４つの辺の部分の支持面部４５０の内面４５５は、ノズルプレート３１１のノズル面３１１Ｐの４辺にある周縁部３７０を密着して支持するための部分である。
【００３３】
図８（Ａ）はカバーヘッド４００が取り付けられる前の状態あるいは取り外した後の状態を示し、図８（Ｂ）はカバーヘッド４００が取り付けられた状態を示している。
図８（Ａ）と図８（Ｂ）に示すように、突出部２００の対向する側面部２０９には、それぞれ凹部２１０が形成されている。この凹部２１０は、カバーヘッド４００のかみ合わせ形状部分４３０，４３０を着脱可能にかみ合わせる部分である。かみ合わせ形状部分４３０と凹部２１０の形状は次のようになっている。
カバーヘッド４００が取り付け方向Ｚ２と取り外し方向Ｚ１方向にそれぞれ容易に着脱できるようにするために、かみ合わせ形状部分４３０はたとえば断面で見て半円形状もしくは立体で見て半球状に形成されている。このために、凹部２１０も、断面半円形状もしくは立体で見て半球状に形成されている。
【００３４】
これによって、カバーヘッド４００は、Ｚ２方向に取り付ける場合に、かみ合わせ形状部分４３０を凹部２１０に対して簡単にはめ込んで固定することができる。また、逆にカーヘッド４００を突出部２００から取り外す場合には、カバーヘッド４００は、Ｚ１方向に移動すれば、カバーヘッド４００のかみ合わせ形状部分４３０を凹部２１０から簡単に取り外すことができるのである。
【００３５】
図８（Ｂ）に示すように、カバーヘッド４００が突出部２００に対して取り付けられた状態では、支持面部４５０の内面４５５は、ノズル面３１１Ｐの周縁部３７０に対して密着している。このようにすることで、ノズル面３１１Ｐのノズルから吐出したインクが、周縁部３７０と突出部２００を伝わって図４に示す突出部２００内に侵入してくるのを確実に防ぐことができる。
【００３６】
かみ合わせ形状部分４３０は、第１起立側部４４１と第２起立側部４４２の内面側に突出して形成することにより、カバーヘッド４００の外面側には突出して形成されないので、カバーヘッド４００の図８におけるＷの拡大を防いで小型化が図れる。
カバーヘッド４００は、突出部２００に対して取り付けることにより、ノズルプレート３１１を含むヘッドユニット３１０を突出部２００側に支持しているが、カバーヘッド４００の突出部２００に対する取り付けおよび突出部２００からカバーヘッド４００を取り外す場合の作業性を確実に向上させることができる。
【００３７】
カバーヘッド４００がＺ２方向に取り付けられる場合には、ヘッドユニット３１０の取り付けあるいは組立作業時間を短縮できる。またカバーヘッド４００を突出部２００から取り外して、ヘッドユニット３１０をメンテナンスしたり、あるいはヘッドユニット３１０の一部あるいは全部の構成要素を交換する場合には、そのような交換が容易になり交換作業時間を短縮することができる。
【００３８】
カバーヘッド４００は、弾性変形して導電性を有する金属により作られているが、カバーヘッド４００は下ケース３４０の突出部２００に対して確実に保持することができる。ノズル面３１１Ｐとカバーヘッド４００は、互いに密着させることにより、電気的な導通をとっている。
これにより、ノズル面３１１Ｐの帯電を防げる。
【００３９】
図９は、本発明の別の実施形態を示している。図９に示すカバーヘッド４００は、図７に示すカバーヘッド４００とほぼ同様な構造であるが、かみ合わせ形状部分４３０の形状が異なる。図９に示すかみ合わせ形状部分４３０，４３０は、それぞれ第１起立側部４４１、第２起立側部４４２に形成されているのは同じであるが、かみ合わせ形状部分４３０は、第１起立側部４４１と第２起立側部４４２を一部切り欠いて内側へ曲げることにより形成されている。
【００４０】
図１０は、図９に示すかみ合わせ形状部分４３０，４３０が、突出部２００の凹部２１０，２１０にかみ合った状態を示している。この例ではかみ合わせ形状部分４３０は、たとえば略断面半円形型に形成されていて、カバーヘッド４００が取り付けられる取り付け方向Ｚ２においても、取り外す方向であるＺ１においてもかみ合わせ形状部分４３０は対称形状になっている。凹部２１０はかみ合わせ形状部分４３０と同様な形状である。
【００４１】
図１１は、カバーヘッド４００のかみ合わせ形状部分４３０がたとえば断面Ｖ字型になっている。これに対応して凹部２１０も断面Ｖ字型になっている。この形状を採用しても、取り付け方向Ｚ２および取り外し方向Ｚ１についてかみ合わせ形状部分４３０と凹部２１０の形状は対称形状であるので、カバーヘッド４００の取り付けおよび取り外しは同様にして容易に行うことができる。
【００４２】
図１２は、本発明のさらに別の実施形態を示している。
図１２の実施形態では、第１起立側部４４１と第２起立側部４４２においてそれぞれかみ合わせ形状部分としての孔４３０Ａが形成されている。この孔４３０Ａに対応して、突出部２００の側面部２０９にはそれぞれ凸部２１０Ａが形成されている。この孔４３０Ａに対しては凸部２１０Ａが着脱可能にはまり込むことができる。孔４３０Ａは、たとえば円形状の孔であり、凸部２１０Ａは、たとえば半球状である。
【００４３】
これにより、カバーヘッド４００は、取り付け方向Ｚ２においても、取り外し方向Ｚ１においても、容易に着脱自在に取り付け、取り外し操作を行うことができる。
本発明の実施形態では、かみ合わせ形状部分は、第１起立側部４４１と第２起立側部４２にそれぞれ設けるようにしている。しかしこれに限らず、かみ合わせ形状部分４３０の数や配置位置あるいはかみ合わせ形状部分の形状は変更することも勿論可能である。
【００４４】
図示した本発明の実施形態においては、ブラックインク、シアンインク、マゼンタインク、イエローインクの各インクを使用する４つのインクカートリッジが、キャリッジに装着できるようになっている。このインクカートリッジの数はこれに限らず、ブラックインク用のインクカートリッジだけを備えているものや、ブラックインクを除いた２色や３色のカラーインク用の３つのインクカートリッジや、あるいは５つのインクカートリッジ、あるいは６つ以上のインクカートリッジを備えているものであってもよい。
【００４５】
本発明は、インクジェット式記録装置としての上記実施形態に限定されず、特許請求の範囲を逸脱しない範囲で種々の変更を行うことができる。さらに、上述の各実施形態は、相互に組み合わせて構成するようにしてもよい。また、本発明は、インクジェット式記録装置に限らず、プリンタ等の画像記録装置に用いられる記録ヘッド、液晶ディスプレイ等のカラーフィルタの製造に用いられる色材噴射ヘッド、有機ＥＬディスプレイ、ＦＥＤ（面発光ディスプレイ）等の電極形成に用いられる電極材噴射ヘッド、バイオチップ製造に用いられる生体有機物噴射ヘッド等の液体を吐出する液体噴射ヘッドを用いた液体噴射装置、精密ピペットとしての試料噴射装置等にも適用できる。
【００４６】
本発明は、上記実施形態に限定されず、特許請求の範囲を逸脱しない範囲で種々の変更を行うことができる。
上記実施形態の各構成は、その一部を省略したり、上記とは異なるように任意に組み合わせることができる。
【図面の簡単な説明】
【００４７】
【図１】本発明の液体噴射装置の好ましい実施形態であるインクジェット式記録装置を示す概略斜視図。
【図２】図１のインクジェット式記録装置における電気的な接続例を示すブロック図。
【図３】記録ヘッドの分解斜視図。
【図４】ケース、ヘッドユニットおよびカバーヘッドを示す図２におけるＡ−Ａ線における断面構造例を示す図。
【図５】インクカートリッジが搭載された例を示す図。
【図６】ケースとカバーヘッドを簡単化して示す斜視図。
【図７】カバーヘッドの構造例を示す斜視図。
【図８】下ケースの突出部とカバーヘッドの構造例を示す図。
【図９】本発明の別の実施形態を示すカバーヘッドの斜視図。
【図１０】図９のカバーヘッドの装着例を示す図。
【図１１】本発明のさらに別の実施形態であるカバーヘッドの装着例を示す図。
【図１２】本発明のさらに別の実施形態であるカバーヘッドの装着例を示す図。
【符号の説明】
【００４８】
１０・・・インクジェット式記録装置、３０・・・記録ヘッド、２００・・・突出部、２１０・・・凹部、２１０Ａ・・・突出部の覆面部の凸部、３０１・・・ケース、３１０・・・ヘッドユニット、３１１Ｐ・・・ノズル面、３４０・・・下ケース、３５０・・・上ケース、３７０・・・ノズル面の周縁部、４００・・・カバーヘッド（カバー部材）、４３０・・・かみ合わせ形状部分、４３０Ａ・・・第１起立側部と第２起立側部の孔（かみ合わせ形状部分の一例）、４４１・・・第１起立側部、４４２・・・第２起立側部、４５０・・・支持面部
【図１】
2006224362.tif 000003
【図２】
2006224362.tif 000004
【図３】
2006224362.tif 000005
【図４】
2006224362.tif 000006
【図５】
2006224362.tif 000007
【図６】
2006224362.tif 000008
【図７】
2006224362.tif 000009
【図８】
2006224362.tif 000010
【図９】
2006224362.tif 000011
【図１０】
2006224362.tif 000012
【図１１】
2006224362.tif 000013
【図１２】
2006224362.tif 000014